(57)【特許請求の範囲】
【請求項１】
第１カード又はこの第１カードよりも挿入方向の長さ寸法が長い第２カードを選択的に装着可能な装着空間を有するハウジングを備え、前記ハウジングに、前記第１カードの接触部に接触するピン形状の第１コンタクト端子と、この第１コンタクト端子よりもカードの挿入方向の前方側であって上方側又は下方側に配置され前記第２カードの接触部に接触する片持ち梁状の第２コンタクト端子とを有するコンタクトハウジングを設け、前記第１カードの装着空間における前記第１コンタクト端子よりも前記第２コンタクト端子側の一部を前記第２カードの装着空間に利用するカード用コネクタ装置であって、
前記第２カードは、前記第１カードの外形寸法と同等の寸法を有するアダプタに装着された状態で前記ハウジングに装着され、前記ハウジングは、前記第１カードをガイドするために設けられたガイド部を用いて前記アダプタをガイドすることを特徴とするカード用コネクタ装置。
【請求項２】
前記コンタクトハウジングに前記第１コンタクト端子を保持する保持部を設け、当該保持部の上面で前記第２カードの下面を支持することを特徴とする請求項１記載のカード用コネクタ装置。
【請求項３】
コンタクトハウジングは、前記第１カード及び第２カードの装着時におけるカード挿入口からの突出量が同一となる位置に前記第１コンタクト端子及び第２コンタクト端子を設けたことを特徴とする請求項１又は請求項２記載のカード用コネクタ装置。
【請求項４】
前記第１及び第２コンタクト端子は、単一部材で構成される保持部材に保持されることを特徴とする請求項１から請求項３のいずれかに記載のカード用コネクタ装置。
【請求項５】
前記ハウジングに対する装着時に前記第１コンタクト端子を収容する凹部を前記アダプタに設けたことを特徴とする請求項１から請求項４のいずれかに記載のカード用コネクタ装置。
【請求項６】
前記ハウジングに装着された前記第１カードの挿入方向の前端部に当接して当該第１カードを排出方向に移動させる当接部を有する排出機構を備え、
前記排出機構は、前記ハウジングに装着された前記アダプタの挿入方向の前端部に前記当接部を当接させて当該アダプタを排出方向に移動させることを特徴とする請求項５記載のカード用コネクタ装置。
【発明の詳細な説明】
【技術分野】
【０００１】
本発明は、カード用コネクタ装置に関し、特に、挿入方向の長さ寸法が異なる２種類のカードが装着可能なカード用コネクタ装置に関する。
【背景技術】
【０００２】
従来、互いに寸法及び形状が異なる２種類のカードを装着可能とするカード用コネクタ装置が知られている。例えば、特許文献１記載のカード用コネクタ装置においては、ピン形状のコンタクト端子（第１電極）と、片持ち梁状のコンタクト端子（第２電極）とを備え、長さの異なる２種類のカードを選択的に装着可能としたカード用コネクタ装置を提案している。このカード用コネクタ装置においては、カードの挿入方向の前方側にピン形状のコンタクト端子が配置され、これよりも挿入口側に片持ち梁状のコンタクト端子が配置されている。
【特許文献１】実開平６−４４０５２号公報
【発明の開示】
【発明が解決しようとする課題】
【０００３】
ところで、現在、このようなカード用コネクタ装置に装着されるカードの形状は多岐に亘っており、その挿入方向の長さ寸法や使用するコンタクト端子もカードの種類によって異なっている。このため、カード用コネクタ装置に装着されるカードの組み合わせにおいて、片持ち梁状のコンタクト端子を使用するカードの長さ寸法が、ピン形状のコンタクト端子を使用するカードの長さ寸法よりも長い場合が発生し得る。
【０００４】
しかしながら、上述したような従来のカード用コネクタ装置においては、ピン形状のコンタクト端子が挿入方向の前方側に配置されているため、このような組み合わせのカードに対応することはできない。仮に、ピン形状のコンタクト端子を、片持ち梁状のコンタクト端子よりも挿入口側に配置する場合には、カード用コネクタ装置の薄型化を図ることが困難であるという問題がある。すなわち、ピン形状のコンタクト端子は、片持ち梁状のコンタクト端子と異なり、カード挿入経路から退避させることが不可能であるため、当該コンタクト端子を使用するカードに固有のカード装着空間を確保しなければならないからである。
【０００５】
本発明はかかる問題点に鑑みてなされたものであり、片持ち梁状及びピン形状のコンタクト端子を使用する２種類のカードに対応でき、前者を使用するカードの長さ寸法が後者を使用するカードの長さ寸法よりも長い場合においても、装置自体の薄型化を図ることができるカード用コネクタ装置を提供することを目的とする。
【課題を解決するための手段】
【０００６】
本発明のカード用コネクタ装置は、第１カード又はこの第１カードよりも挿入方向の長さ寸法が長い第２カードを選択的に装着可能な装着空間を有するハウジングを備え、前記ハウジングに、前記第１カードの接触部に接触するピン形状の第１コンタクト端子と、この第１コンタクト端子よりもカードの挿入方向の前方側であって上方側又は下方側に配置され前記第２カードの接触部に接触する片持ち梁状の第２コンタクト端子とを有するコンタクトハウジングを設け、前記第１カードの装着空間における前記第１コンタクト端子よりも前記第２コンタクト端子側の一部を前記第２カードの装着空間に利用するカード用コネクタ装置であって、前記第２カードは、前記第１カードの外形寸法と同等の寸法を有するアダプタに装着された状態で前記ハウジングに装着され、前記ハウジングは、前記第１カードをガイドするために設けられたガイド部を用いて前記アダプタをガイドすることを特徴とする。
【０００７】
上記カード用コネクタ装置によれば、第２コンタクト端子を第１コンタクト端子よりもカードの挿入方向の前方側であって上方側又は下方側に配置し、第１コンタクト端子よりも第２コンタクト端子側の一部を第１、第２カードの装着空間として共有し、第１コンタクト端子をピン形状のコンタクト端子とする一方、第２コンタクト端子を片持ち梁状のコンタクト端子とした場合に第１コンタクト端子に第２カードを接触させることなく装着可能としつつ、双方のカードの装着空間に要する必要な厚さを薄くすることができるので、片持ち梁状及びピン形状のコンタクト端子を使用する２種類のカードに対応でき、前者を使用するカードの長さ寸法が後者を使用するカードの長さ寸法よりも長い場合においても、装置自体の薄型化を図ることが可能となる。
また、第１カードの外形寸法と同等の寸法を有するアダプタに装着された状態で第２カードがハウジングに装着されることから、第１カードの幅寸法及び厚さ寸法が包含される第２カードの接触部を第２コンタクト端子に適切に接触させることが可能となる。特に、第１カードをガイドするためのガイド部を用いて、第２カードが装着されたアダプタをガイドすることから、アダプタを位置決めするための特別な構成を要することなく、アダプタを適切に位置決めすることが可能となる。
【０００８】
上記カード用コネクタ装置においては、前記コンタクトハウジングに前記第１コンタクト端子を保持する保持部を設け、当該保持部の上面で前記第２カードの下面を支持することが好ましい。この場合には、第１コンタクト端子の保持部の上面で第２カードが支持されることから、第２カードの自重による負荷を軽減することが可能となる。
【０００９】
また、上記カード用コネクタ装置において、コンタクトハウジングは、前記第１カード及び第２カードの装着時におけるカード挿入口からの突出量が同一となる位置に前記第１コンタクト端子及び第２コンタクト端子を設けることが好ましい。この場合には、第１カード及び第２カードを装着した場合におけるカード挿入口からの突出量が同一となることから、第１カードに比べて第２カードがカード挿入口から突出するのを防止でき、第２カードの破損を防止することが可能となる。
【００１０】
さらに、上記カード用コネクタ装置において、前記第１及び第２コンタクト端子は、単一部材で構成される保持部材に保持されることが好ましい。この場合には、第１コンタクト端子と、第２コンタクト端子とを一定の位置関係に配置することが可能となるので、位置調整を必要とすることなく、適切な位置に第１、第２コンタクト端子を配置することが可能となる。
【００１２】
特に、上記カード用コネクタ装置においては、前記ハウジングに対する装着時に前記第１コンタクト端子を収容する凹部を前記アダプタに設けることが好ましい。この場合には、ハウジングに対するアダプタの装着時に凹部により第１コンタクト端子が収容されるので、第１コンタクト端子に影響を与えることなく、第２カードを挿入方向の前方側に挿入することが可能となる。
【００１３】
また、上記カード用コネクタ装置においては、前記ハウジングに装着された前記第１カードの挿入方向の前端部に当接して当該第１カードを排出方向に移動させる当接部を有する排出機構を備え、前記排出機構は、前記ハウジングに装着された前記アダプタの挿入方向の前端部に前記当接部を当接させて当該アダプタを排出方向に移動させることが好ましい。この場合には、装着された第１、第２カードを排出する排出機構を共通化することができるので、装置の部品点数を低減でき、装置を小型化することが可能となる。
【発明の効果】
【００１４】
本発明によれば、第２コンタクト端子を第１コンタクト端子よりもカードの挿入方向の前方側であって上方側又は下方側に配置し、第１コンタクト端子よりも第２コンタクト端子側の一部を第１、第２カードの装着空間として共有し、第１コンタクト端子をピン形状のコンタクト端子とする一方、第２コンタクト端子を片持ち梁状のコンタクト端子とした場合に第１コンタクト端子に第２カードを接触させることなく装着可能としつつ、双方のカードの装着空間に要する必要な厚さを薄くすることができるので、片持ち梁状及びピン形状のコンタクト端子を使用する２種類のカードに対応でき、前者を使用するカードの長さ寸法が後者を使用するカードの長さ寸法よりも長い場合においても、装置自体の薄型化を図ることが可能となる。
【発明を実施するための最良の形態】
【００１５】
以下、本発明の一実施の形態について添付図面を参照して詳細に説明する。なお、本実施の形態に係るカード用コネクタ装置（以下、単に「コネクタ」という）１は、装置自体の薄型化を図りつつ、挿入方向の長さ寸法が異なる２種類のカードを装着可能に構成されるものである。具体的には、ピン形状のコンタクト端子を使用する第１カードとしてのカードＡと、このカードＡよりも長さ寸法が長く、片持ち梁状のコンタクト端子を使用する第２カードとしてのカードＢを装着可能に構成されている。なお、カードＡ、Ｂの構成については後述する。
【００１６】
図１は、本実施の形態に係るコネクタ１の外観を示す斜視図である。図２は、本実施の形態に係るコネクタ１の分解斜視図である。なお、以下においては、適宜、図１に示す紙面上方側を「コネクタ１の前方側」又は単に「前方側」と呼び、同図に示す紙面下方側を「コネクタ１の後方側」又は単に「後方側」と呼ぶものとする。また、図１に示す紙面右方側を「コネクタ１の右方側」又は単に「右方側」と呼び、同図に示す紙面左方側を「コネクタ１の左方側」又は単に「左方側」と呼ぶものとする。
【００１７】
図１及び図２に示すように、本実施の形態に係るコネクタ１は、合成樹脂材料を成型して形成されるコンタクトハウジング２と、金属薄板材料に打ち抜き加工及び折り曲げ加工などを施して形成されるカバー部材３と、コネクタ１に装着されたカードＡ、Ｂを排出する排出機構４とを備えている。なお、これらのコンタクトハウジング２と、カバー部材３とにより本実施の形態に係るコネクタ１のハウジングが構成される。
【００１８】
コンタクトハウジング２は、図１に示すように、コネクタ１の前方側端部に配置され、コネクタ１の側壁部の一部及び奥壁部を構成している。また、コンタクトハウジング２には、図２に示すように、カードＡの装着時に使用される第１コンタクト端子としてのカードＡ用コンタクト２０１と、カードＢの装着時に使用される第２コンタクト端子としてのカードＢ用コンタクト２０２とが設けられている。さらに、コンタクトハウジング２には、後述するカードＢの装着空間の一部が形成されている。なお、このコンタクトハウジング２の構成については後述する。
【００１９】
カバー部材３は、コネクタ１の上面を構成する上面部３０１と、この上面部３０１の側端部から下方側に延出する側面部３０２とを有し、上面部３０１の前方側端部において、コンタクトハウジング２に取り付けられる。そして、カバー部材３は、コンタクトハウジング２に取り付けられた状態において、搭載される機器（例えば、パーソナルコンピュータ）に固定される。これらの上面部３０１と、側面部３０２と、搭載される機器の被取付面との間にカードＡ、Ｂの装着空間が形成される。また、搭載される機器に固定された状態で、図１に示すように、コネクタ１の後方側端部にカード挿入口５が形成される。
【００２０】
上面部３０１における前方側端部近傍の所定位置には、後述する排出機構４のレバー部材４０２、４０３を回動可能に保持するための一対の保持部３０３が形成されている。これらの保持部３０３は、上面部３０１の一部をプレス加工することで形成され、上面部３０１の下面において下方側に突出する円環形状を有している。この円環形状部分にレバー部材４０２、４０３が回動可能に取り付けられる。
【００２１】
側面部３０２には、排出機構４を保持するための複数の爪部３０４と、後述するカードＡ等の段差部Ａ４に弾接する弾接部３０５と、コネクタ１の内側に僅かに延出し、カードＡ等の側面を軽く押圧する弾性片３０６とを有している。側面部３０２の下端部は、コネクタ１の内側に折り曲げられており、カードＡ等の側方側端部の下面をガイドするガイド部３０７を形成している。さらに、側面部３０２よりもコネクタ１の前方側には、後述するコンタクトハウジング２の係合片２０９を収容する開口部が形成された一対の固定部３０８が設けられている。
【００２２】
排出機構４は、カバー部材３が有する右方側の側面部３０２に取り付けられるカード押出機構４０１と、カバー部材３が有する保持部３０３に取り付けられるレバー部材４０２、４０３とを有している。カード押出機構４０１は、コネクタ１の側面と同等の長さを有するベース部材４０１ａと、ベース部材４０１ａに取り付けられるカバー４０１ｂと、ベース部材４０１ａとカバー４０１ｂとの間の空間にその一部が収納される摘み部４０１ｃと、同じくベース部材４０１ａとカバー４０１ｂとの間の空間に収納され、摘み部４０１ｃに対する押圧操作に応じてレバー部材４０２を駆動する不図示の駆動機構４０１ｄとを有する。
【００２３】
摘み部４０１ｃは、コネクタ１の前後方向にスライド移動可能に構成され、その後方側端部がコネクタ１の後方側に突出している。駆動機構４０１ｄは、ベース部材４０１ａに形成されたガイド溝に係合する係合部材と、このガイド溝上における係合部材の位置に応じて前後方向及び上下方向に移動する当接片４０１ｅを有するカム部材とから構成される。当接片４０１ｅは、ベース部材４０１ａとカバー部材４０１ｂとの間に形成されるスリットから上方側に突出し、このスリット上に配置されるレバー部材４０２の係合部４０２ｂと当接する（図３参照）。
【００２４】
レバー部材４０２は、例えば、金属薄板材料で形成され、図２に示すように、コネクタ１の左右方向に延在する長尺の板状部材で構成される。レバー部材４０２は、平面部４０２ａと、この平面部４０２ａの右方側端部に設けられた係合部４０２ｂと、平面部４０２ａの左方側端部近傍から下方側に延出する回動規制部４０２ｃとを有している。平面部４０２ａの中央よりも僅かに左方側には、円形状の開口部４０２ｄが形成されている。カバー部材３の保持部３０３は、レバー部材４０２が回動可能な程度にこの開口部４０２ｄに圧入される。
【００２５】
レバー部材４０３は、レバー部材４０２と同様に、例えば、金属薄板材料で形成され、コンタクトハウジング２の半分程度の長さを有する板状部材で構成される。レバー部材４０３は、平面部４０３ａと、この平面部４０３ａの左方側端部で上方側に突出する突出片４０３ｂと、平面部４０３ａの右方側端部から下方側に延出する当接片４０３ｃとを有している。突出片４０３ｂは、レバー部材４０２の前端面と当接する。当接片４０３ｃは、レバー部材４０３の回動に応じてコネクタ１に装着されたカードＡ等の前端部に当接し、カードＡ等を後方側に押し出す。平面部４０３ａの中央よりも僅かに左方側には、円形状の開口部４０３ｄが形成されている。カバー部材３の保持部３０３は、レバー部材４０３が回動可能な程度にこの開口部４０３ｄに圧入される。
【００２６】
図３は、このような構成を有する排出機構４の構成の位置関係を説明するための斜視図である。なお、図３においては、説明の便宜上、コンタクトハウジング２も示している。図３に示すように、排出機構４のレバー部材４０２、４０３は、コンタクトハウジング２のカードＡ用コンタクト２０１の上方において、左右方向に並ぶように配置されている。レバー部材４０２の係合部４０２ｂは、カード押出機構４０１の当接片４０１ｅが当接可能な位置に配置されている。レバー部材４０２の回動規制部４０２ｃは、後述するコンタクトハウジング２における左方側の奥壁部２０３に対向配置され、レバー部材４０２の一定位置以上の回動を規制する。また、レバー部材４０３の当接片４０３ｃは、後述するコンタクトハウジング２における右方側の奥壁部２０３に対向配置される一方、コネクタ１に装着されるカードＡ等の前端部に対向配置される。なお、この排出機構４によるカードＡ等の排出動作については後述する。
【００２７】
ここで、本実施の形態に係るコネクタ１が有するコンタクトハウジング２の構成について説明する。図４は、本実施の形態に係るコネクタ１が有するコンタクトハウジング２の斜視図である。図５は、本実施の形態に係るコネクタ１が有するコンタクトハウジング２の上面図（同図（ａ））及び後面図（同図（ｂ））である。図６は、図５（ａ）に示す一点鎖線Ａにおけるコンタクトハウジング２の断面図である。なお、図６においては一点鎖線Ａから右方側のコンタクトハウジング２を示したものであり、同図に示す左方側がコネクタ１の前方側に相当し、右方側がコネクタ１の後方側に相当する。
【００２８】
図４及び図５に示すように、コンタクトハウジング２においては、コネクタ１の奥壁部を構成する奥壁部２０３と、この奥壁部２０３の側方側端部から後方側に延出し、コネクタ１の側壁部の一部を構成する側壁部２０４とを有している。奥壁部２０３の内壁（後方側の内壁）には、その中央にカードＡ用コンタクト２０１を保持する第１保持部２０５と、カードＢ用コンタクト２０２を保持する第２保持部２０６とが設けられている。図４及び図５（ａ）に示すように、第２保持部２０６は、第１保持部２０５よりもコネクタ１の前方側の位置に設けられると共に、図４及び図５（ｂ）に示すように、第１保持部２０５よりも上方側の位置に設けられている。
【００２９】
図４及び図５（ｂ）に示すように、カードＡ用コンタクト２０１は、第１保持部２０５において、上下２列でコネクタ１の左右方向に配列されている。カードＡ用コンタクト２０１は、ピン形状のコンタクト端子で構成されている。また、カードＡ用コンタクト２０１は、図６に示すように、第１保持部２０５の前面部からコネクタ１の前方側に導出されている。
【００３０】
第１保持部２０５の中央部分であって上方には、カードＢを受け入れる開口部２０７が形成され、この開口部２０７の前方側には後述するカードＢの装着空間ＳＢの一部が形成されている。カードＢ用コンタクト２０２は、このカードＢの装着空間ＳＢの中央部分における第２保持部２０６に１列でコネクタ１の左右方向に配列されている。カードＢ用コンタクト２０２は、その前方側端部が第２保持部２０６に保持されると共に、その後方側端部が自由端を構成する、所謂、片持ち梁状のコンタクト端子で構成されている。また、カードＢ用コンタクト２０２は、図６に示すように、第２保持部２０６の前面部からコネクタ１の前方側に導出されている。
【００３１】
このようなカードＡ用コンタクト２０１及びカードＢ用コンタクト２０２は、合成樹脂材料でコンタクトハウジング２の樹脂部分を形成した後に所定位置に設けられた複数の挿入孔に圧入される。なお、合成樹脂材料で形成された樹脂部分は、単一部材で構成される保持部材として機能する。これにより、コンタクトハウジング２において、カードＡ用コンタクト２０１と、カードＢ用コンタクト２０２とを一定の位置関係に配置することが可能となるので、位置調整を必要とすることなく、適切な位置にカードＡ用コンタクト２０１及びカードＢ用コンタクト２０２を配置することが可能となる。
【００３２】
なお、カードＢ用コンタクト２０２の周囲には、第２保持部２０６からコネクタ１の後方に延出する保護板部２０８が配設されている。この保護板部２０８は、異なるカードの誤挿入に伴うカードＢ用コンタクト２０２の破損を防止するためのものである。なお、この保護板部２０８には、カードＢ用コンタクト２０２に対応する位置に複数のスリットが形成されている。カードＢ用コンタクト２０２は、これらのスリットを介してその後方側端部近傍が上方側に露出可能に構成されている。
【００３３】
側壁部２０４の外面には、図４及び図５（ａ）に示すように、その後方側端部近傍であって上端部にカバー部材３の固定部３０８に形成された開口部と係合する係合片２０９が設けられている。一方、側壁部２０４の内面であって、下方側部分には、図４及び図５（ｂ）に示すように、後述するカードＡの溝部に入り込む一対の係合片２１０が設けられている（同図に示す右方側の側壁部２０４の係合片２１０は不図示：図６参照）。これらの係合片２１０は、カードＡを所定位置にガイドするためのガイド部として機能すると共に、異なるカードの誤挿入に伴うカードＡ用コンタクト２０１の破損を防止する役割を果たすものである。
【００３４】
このような構成を有し、本実施の形態に係るコネクタ１は、挿入方向の長さ寸法が異なるカードＡ、Ｂを装着可能とするものである。なお、本実施の形態に係るコネクタ１において、カードＢは、カードＡと略同一の形状を有するカードアダプタ（以下、「アダプタ」という）６に装着された状態でコネクタ１に装着される。以下、本実施の形態に係るコネクタ１に装着されるカードＡ、Ｂ及びカードＢが装着されるアダプタ６の構成について説明する。
【００３５】
図７（ａ）は、カードＡを後方側から示した斜視図であり、同図（ｂ）は、カードＡの前面図である。図８（ａ）は、カードＢを後方側から示した斜視図であり、同図（ｂ）は、カードＢの前面図である。図９（ａ）、（ｂ）及び（ｃ）は、それぞれカードＢの上面図、側面図及び下面図である。図１０（ａ）は、アダプタ６を後方側から示した斜視図であり、同図（ｂ）は、アダプタ６の前面図である。図１１（ａ）、（ｂ）及び（ｃ）は、それぞれアダプタ６の上面図、側面図及び下面図である。図１２（ａ）は、カードＢが装着されたアダプタ６を後方側から示した斜視図であり、同図（ｂ）は、カードＢが装着されたアダプタ６の前面図である。なお、図９（ｂ）及び図１１（ｂ）においては、それぞれカードＢ及びアダプタ６を右方側から示した側面図を示している。
【００３６】
図７（ａ）に示すように、カードＡは、挿入方向に沿った長さ方向の寸法がＡ１であり、幅方向の寸法がＡ２であり、厚さ方向の寸法がＡ３に設定されている。カードＡの側方側の端部には、段差部Ａ４が設けられている。また、カードＡの側面には、前方側から一定長さの溝Ａ５が形成されている。カードＡがコネクタ１に挿入される際、コンタクトハウジング２に設けられた係合片２０９は、溝Ａ５に受け入れられる。カードＡの前面には、図７（ｂ）に示すように、カードＡ用コンタクト２０１を収容する複数の収容穴Ａ６が設けられている。
【００３７】
一方、図８（ａ）に示すように、カードＢは、長さ方向の寸法がカードＡのＡ１よりも長いＢ１であり、幅方向の寸法がカードＡのＡ２よりも短いＢ２であり、厚さ方向の寸法がカードＡのＡ３よりも薄いＢ３に設定されている。カードＢの側方側の端部上面には、段差部Ｂ４が設けられている（図９（ａ）、（ｂ）参照）。この段差部Ｂ４には、左右に一対の凹部Ｂ５が形成されている。また、カードＢの後端部には、カードＢをコネクタ１から抜き取る際に利用される摘み部Ｂ６が設けられている。
【００３８】
カードＢの側方側の端部下面には、段差部Ｂ７が設けられている（図９（ｂ）、（ｃ）参照）。この段差部Ｂ７の後端部には、後述するアダプタ６のガイド片６４に当接する当接部Ｂ８が設けられている。この当接部Ｂ８がアダプタ６のガイド片６４に当接することにより、アダプタ６におけるカードＢの位置決めが可能となっている。カードＢの前面には、図８（ｂ）に示すように、凹部Ｂ９が形成されている。この凹部Ｂ９の内側の上面には、カードＢ用コンタクト２０２と接触し、信号を送受信するための複数の接触パッド（不図示）が設けられている。
【００３９】
アダプタ６は、その外形において、カードＡと同一の寸法に設定されている。すなわち、アダプタ６は、図１０（ａ）に示すように、長さ方向の寸法がカードＡのＡ１と同一であり、幅方向の寸法がカードＡのＡ２と同一であり、厚さ方向の寸法がカードＡのＡ３と同一に設定されている。アダプタ６の側方側の端部には、カードＡの段差部Ａ４と同一形状の段差部６１が設けられている（図１１（ｂ）参照）。また、アダプタ６の側面には、カードＡの溝Ａ５と同一形状の溝６２が形成されている（図１１（ｂ）参照）。溝６２は、カードＡの溝Ａ５と同様に、コンタクトハウジング２の係合片２１０を受け入れる。
【００４０】
アダプタ６の上面であって中央部分には、カードＢを収容する収容部６３が設けられている。収容部６３は、アダプタ６の上面よりも低くなっている。この収容部６３の側端部であって後方側には、カードＢの段差部Ｂ７を下方側から支持するガイド片６４が複数設けられている（なお、図１０（ａ）において右方側の当接片６４は不図示、図１１（ａ）参照）。なお、最も後方側に位置するガイド片６４の後端部には、アダプタ６に装着されたカードＢの当接部Ｂ８が当接するように構成されている。
【００４１】
収容部６３の側方側端部に対応するアダプタ６の上面には、装着されたカードＢを保持する複数の保持片６５が設けられている。これらの保持片６５は、図１０（ｂ）に示すように、ガイド片６４の上面と対向する保持面を有し、ガイド片６４の上面とこの保持面とでカードＢの側端部を上下方向から保持するように構成されている。また、最も前方側の保持片６５の前方側には、一対の凹部６６が形成されている。この凹部６６には、アダプタ６に装着されたカードＢの凹部Ｂ５に係合する係合片としての板ばね６７が取り付けられている。
【００４２】
また、アダプタ６の前面には、図１０（ｂ）に示すように、凹部６８が形成されている（図１１（ｃ）参照）。この凹部６８は、カードＢが装着された状態のアダプタ６がコネクタ１に挿入される際、カードＡ用コンタクト２０１を収容するように構成されている。なお、アダプタ６の後方側の端面には、装着されたカードＢを取り外し易くするための凹部６９が形成されている（図１１（ａ）、（ｃ）参照）。
【００４３】
このような構成を有するアダプタ６において、カードＢは、図１２（ａ）に示すように、その前端部がコネクタ１の前方側に突出した状態で装着される。また、カードＢの後端面は、アダプタ６の後端面と同一面上に配置され、摘み部Ｂ６がアダプタ６の凹部６８に入り込んだ状態となっている。また、図１２（ｂ）に示すように、カードＢの側端部は、ガイド片６４により下方側から支持され、保持片６５により上方側から支持されている。そして、カードＢの凹部Ｂ５に板ばね６７が入り込むことで、カードＢがアダプタ６上で固定されている。カードＢは、このようにアダプタ６に装着された状態でコネクタ１に装着されることとなる。
【００４４】
このように本実施の形態に係るコネクタ１においては、カードＡの外形寸法と同等の寸法を有するアダプタ６に装着された状態でカードＢがコネクタ１に装着されることから、カードＡの幅寸法及び厚さ寸法が包含されるカードＢの接触パッドをカードＢ用コンタクト２０２に適切に接触させることが可能となる。特に、カードＡをガイドするための係合片２１０を用いて、カードＢが装着されたアダプタ６をガイドすることから、アダプタ６を位置決めするための特別な構成を要することなく、アダプタ６を適切に位置決めすることが可能となる。
【００４５】
次に、本実施の形態に係るコネクタ１にカードＡ、Ｂが装着された状態について説明する。図１３は、カードＡが装着された状態のコネクタ１の斜視図である。図１４は、カードＢが装着されたアダプタ６が装着された状態のコネクタ１の斜視図である。図１３に示すように、カードＡは、その後端部がコネクタ１の後方側に僅かに突出した状態で装着される。なお、カードＡの後端面は、概して、排出機構４の摘み部４０１ｃの後端部と同一面上に配置されている。
【００４６】
一方、図１４に示すように、カードＢが装着されたアダプタ６は、図１３に示すカードＡと同様に、その後端部がコネクタ１の後方側に僅かに突出した状態で装着される。アダプタ６に装着されたカードＢの後端部は、アダプタ６の後端部と同一面上に配置されるため、カードＢもコネクタ１の後方側に僅かに突出した状態で装着されている。すなわち、コネクタ１に装着された状態において、カードＡ、Ｂは、カード挿入口５から同一の長さだけ突出するものとなる。このようにカードＡ、Ｂを装着した場合におけるカード挿入口５から突出する長さを一致させているので、カードＡに比べてカードＢがカード挿入口５から突出するのを防止でき、カードＢの破損を防止することが可能となる。
【００４７】
ここで、カードＡ、Ｂが装着されたコネクタ１の内部状態について説明する。図１５は、本実施の形態に係るコネクタ１の断面図である。図１６は、カードＡが装着された状態のコネクタ１の断面図である。図１７は、カードＢが装着されたアダプタ６が装着された状態のコネクタ１の断面図である。なお、図１５〜図１７においては、コネクタ１の中央部分における断面から右方側を示している。また、図１５〜図１７においては、同図における左方側がコネクタ１の前方側に相当する。
【００４８】
図１５に示すように、コネクタ１の内部においては、概して、コンタクトハウジング２の保護板部２０８の上面が形成する水平面と、カバー部材３のガイド部３０７の上面が形成する水平面との間の空間にカードＡの装着空間ＳＡが設けられている。一方、概して、コンタクトハウジング２の第１保持部２０５の上面が形成する水平面と、カバー部材３の上面部３０１の下面が形成する水平面との間の空間にカードＢの装着空間ＳＢが設けられている。すなわち、カードＡの装着空間ＳＡと、カードＢの装着空間ＳＢとは、保護板部２０８の上面が形成する水平面と、第１保持部２０７の上面が形成する水平面との間で空間を共有している。
【００４９】
カードＡは、装着空間ＳＡをコネクタ１の前方側に挿入され、図１６に示すように、前端部が第１保持部２０５の後方側端面に当接した位置で装着された状態となる。このとき、第１保持部２０５に保持されるカードＡ用コンタクト２０１は、カードＡの前端面に形成された収容穴Ａ６（図１６において不図示）に収容されている。また、装着された状態のカードＡに対して、カバー部材３の弾接部３０５（図１６において不図示：図１５参照）が段差部Ａ４に弾接し、弾性片３０６（図１６において不図示：図１５参照）が側面を軽く押圧することで、カードＡがコネクタ１から飛び出すことが防止されている。
【００５０】
一方、カードＢは、アダプタ６に装着された状態で、装着空間ＳＢをコネクタ１の前方側に挿入され、図１７に示すように、前端部が第２保持部２０６の後方側端面に当接した位置で装着された状態となる。このとき、カードＢ用コンタクトは、カードＢに設けられた接触パッドに下方側からに接触している。また、コンタクトハウジング２の第１保持部２０５の上面は、挿入されたカードＢの前方側端部近傍の下面を支持している。これにより、アダプタ６から前方側に突出するカードＢの前端部近傍を下方側から支持し、カードＢの自重による負荷を軽減させている。
【００５１】
なお、この場合において、アダプタ６は、カードＡと同様に、装着空間ＳＡをコネクタ１の前方側に挿入され、第１保持部２０５の後方側端面に当接した位置で装着された状態となっている。また、カバー部材３の弾接部３０５及び弾性片３０６による押圧作用も同様である。このように装着された状態において、アダプタ６は、その凹部６８でカードＡ用コンタクト２０１を収容している。このため、カードＡ用コンタクト２０１に影響を与えることなく、カードＢをコネクタ１の前方側に挿入することが可能となっている。
【００５２】
このように本実施の形態に係るコネクタ１によれば、カードＢ用コンタクト２０２をカードＡ用コンタクト２０１よりもカードの挿入方向の前方側であって上方側に配置し、カードＡの装着空間ＳＡにおけるカードＡ用コンタクト２０１よりもカードＢ用コンタクト２０２側の一部をカードＢの装着空間ＳＢに利用している。これにより、ピン形状のカードＡ用コンタクト２０１にカードＢを接触させることなく装着可能としつつ、双方のカードの装着空間に要する必要な厚さを薄くすることができるので、片持ち梁状及びピン形状のコンタクト端子を使用する２種類のカードに対応でき、前者を使用するカードの長さ寸法が後者を使用するカードの長さ寸法よりも長い場合においても、装置自体の薄型化を図ることが可能となる。
【００５３】
次に、コネクタ１に装着されたアダプタ６を排出する場合の動作について説明する。なお、コネクタ１に装着されたカードＡを排出する場合の動作は、アダプタ６を排出する場合の動作と同一の要領で行われるため、その説明を省略する。図１８〜図２１は、コネクタ１に装着されたアダプタ６を排出する場合の動作を説明するための上面図である。なお、図１８〜図２１においては、説明の便宜上、カバー部材３を省略している。
【００５４】
図１８は、カードＢが装着されたアダプタ６が装着された状態のコネクタ１について示している。この場合において、カード押出機構４０１の当接片４０１ｅは、レバー部材４０２の係合部４０２ｂの前方側に配置されている。また、レバー部材４０３の当接片４０３ｃは、コンタクトハウジング２と、アダプタ６の前端部との間に挟まれる位置に配置されている。アダプタ６を排出する際には、まず、図１８に示す状態のカード押出機構４０１から摘み部４０１ｃが後方側に引き出される。摘み部４０１ｃを引き出す際には、一度、摘み部４０１ｃを前方側に押し込むことでロック状態を解除した後に引き出される。
【００５５】
図１９は、図１８に示す状態のカード押出機構４０１から摘み部４０１ｃが後方側に引き出された状態のコネクタ１について示している。ロック状態から解除され、摘み部４０１ｃが後方側に引き出される際、カード押出機構４０１の当接片４０１ｅは、カード押出機構４０１の内部側を移動する。このため、当接片４０１ｅが係合部４０２ｂの当接することはない。そして、完全に引き出された状態で当接片４０１ｅは、再びカード押出機構４０１の表面が突出した状態となる。このとき、当接片４０１ｅは、係合部４０２ｂの後方側に配置されている。そして、この状態から摘み部４０１ｃが前方側に押し込まれる。
【００５６】
図２０は、図１９に示す状態のカード押出機構４０１から摘み部４０１ｃを前方側に押し込んだ状態のコネクタ１について示している。この場合、摘み部４０１ｃの移動に伴って当接片４０１ｅが前方側に移動し、係合部４０２ｂを前方側に押し出す。係合部４０２ｂが押し出されると、レバー部材４０２は、開口部４０２ｄの中心を支点として反時計回転方向に回動する。レバー部材４０２が回動すると、その前端面がレバー部材４０３の突出片４０３ｂを前方側に押し出す。突出片４０３ｂが押し出されると、レバー部材４０３は、開口部４０３ｄの中心を支点として時計回転方向に回動する。レバー部材４０３が回動すると、その当接片４０３ｃ（図２０において不図示、図１９参照）が後方側に移動し、装着されたアダプタ６を後方側に押し出す。これにより、装着される状態のアアプタ６が後方側に移動する。そして、この状態から摘み部４０１ｃが前方側に更に押し込まれる。
【００５７】
図２１は、図２０に示す状態のカード押出機構４０１から摘み部４０１ｃを前方側に更に押し込んだ状態のコネクタ１について示している。このように図２０に示す状態から更に摘み部４０１ｃを前方側に押し込むと、更に係合部４０２ｂが前方側に押し出される結果、更にレバー部材４０２及びレバー部材４０３が回動し、当接片４０３ｃが更にアダプタ６を後方側に押し出す。この状態において、アダプタ６は、装着されている状態に比べてコネクタ１から後方側に突出した状態となり、ユーザは、手でこれを抜き取ることが可能となる。このようにしてコネクタ１に装着されたアダプタ６が排出されることとなる。
【００５８】
このように本実施の形態に係るコネクタ１においては、装着されたカードＡの挿入方向の前端部、並びに、アダプタ６の挿入方向の前端部に当接してカードＡ又はアダプタ６を排出方向に移動させる当接片４０３ｃを有する排出機構４を備えている。本実施の形態に係るコネクタ１においては、このように装着されたカードＡ及びアダプタ６を単一の排出機構４で排出可能に構成されているので、装置の部品点数を低減でき、装置を小型化することが可能となる。
【００５９】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００６０】
例えば、上記実施の形態においては、コンタクトハウジング２において、カードＡ用コンタクト２０１よりもコネクタ１の前方側であって上方側にカードＢ用コンタクト２０２を配置した場合について示している。しかしながら、コンタクトハウジング２の構成については、これに限定されるものではなく、適宜変更が可能である。例えば、カードＡ用コンタクト２０１よりもコネクタ１の前方側であって下方側にカードＢ用コンタクト２０２を配置するようにしても良い。このように配置した場合においても、上記実施の形態と同様の効果を得ることが可能である。
【図面の簡単な説明】
【００６１】
【図１】本実施の形態に係るコネクタの外観を示す斜視図である。
【図２】上記実施の形態に係るコネクタの分解斜視図である。
【図３】上記実施の形態に係るコネクタが有する排出機構の構成の位置関係を説明するための斜視図である。
【図４】上記実施の形態に係るコネクタが有するコンタクトハウジングの斜視図である。
【図５】上記実施の形態に係るコネクタが有するコンタクトハウジングの上面図（ａ）及び後面図（ｂ）である。
【図６】図５（ａ）に示す一点鎖線Ａにおけるコンタクトハウジングの断面図である。
【図７】上記実施の形態に係るコネクタに装着されるカードＡを後方側から示した斜視図（ａ）及びカードＡの前面図（ｂ）である。
【図８】上記実施の形態に係るコネクタに装着されるカードＢを後方側から示した斜視図（ａ）及びカードＢの前面図（ｂ）である。
【図９】上記実施の形態に係るコネクタに装着されるカードＢの上面図（ａ）、側面図（ｂ）及び下面図（ｃ）である。
【図１０】上記実施の形態に係るコネクタに装着されるアダプタを後方側から示した斜視図（ａ）及びアダプタの前面図（ｂ）である。
【図１１】上記実施の形態に係るコネクタに装着されるアダプタの上面図（ａ）、側面図（ｂ）及び下面図（ｃ）である。
【図１２】上記実施の形態に係るコネクタに装着される、カードＢが装着されたアダプタを後方側から示した斜視図（ａ）及びアダプタの前面図（ｂ）である。
【図１３】上記実施の形態に係るコネクタにカードＡが装着された状態の斜視図である。
【図１４】上記実施の形態に係るコネクタにカードＢが装着されたアダプタが装着された状態の斜視図である。
【図１５】上記実施の形態に係るコネクタの断面図である。
【図１６】上記実施の形態に係るコネクタにカードＡが装着された状態の断面図である。
【図１７】上記実施の形態に係るコネクタにカードＢが装着されたアダプタが装着された状態の断面図である。
【図１８】上記実施の形態に係るコネクタに装着されたアダプタを排出する場合の動作を説明するための上面図である。
【図１９】上記実施の形態に係るコネクタに装着されたアダプタを排出する場合の動作を説明するための上面図である。
【図２０】上記実施の形態に係るコネクタに装着されたアダプタを排出する場合の動作を説明するための上面図である。
【図２１】上記実施の形態に係るコネクタに装着されたアダプタを排出する場合の動作を説明するための上面図である。
【符号の説明】
【００６２】
１  カード用コネクタ装置（コネクタ）
２  コンタクトハウジング
２０１  カードＡ用コンタクト
２０２  カードＢ用コンタクト
２０３  奥壁部
２０４  側壁部
２０５  第１保持部
２０６  第２保持部
２０７  開口部
２０８  保護板部
２０９  係合片
２１０  係合片
３  カバー部材
３０１  上面部
３０２  側面部
３０３  保持部
３０４  爪部
３０５  弾接部
３０６  弾性片
３０７  ガイド部
３０８  固定部
４  排出機構
４０１  カード押出機構
４０１ａ  ベース部材
４０１ｂ  カバー
４０１ｃ  摘み部
４０１ｄ  駆動機構
４０１ｅ  当接片
４０２  レバー部材
４０２ａ  平面部
４０２ｂ  係合部
４０２ｃ  回動規制部
４０２ｄ  開口部
４０３  レバー部材
４０３ａ  平面部
４０３ｂ  突出片
４０３ｃ  当接片
４０３ｄ  開口部
５  カード挿入口
６  アダプタ（カードアダプタ）
６１  段差部
６２  溝
６３  収容部
６４  ガイド片
６５  保持片
６６  凹部
６７  板ばね
６８  凹部
６９  凹部
ＳＡ  カードＡの装着空間
ＳＢ  カードＢの装着空間
【図１】
0004503077.tif 000002
【図２】
0004503077.tif 000003
【図３】
0004503077.tif 000004
【図４】
0004503077.tif 000005
【図５】
0004503077.tif 000006
【図６】
0004503077.tif 000007
【図７】
0004503077.tif 000008
【図８】
0004503077.tif 000009
【図９】
0004503077.tif 000010
【図１０】
0004503077.tif 000011
【図１１】
0004503077.tif 000012
【図１２】
0004503077.tif 000013
【図１３】
0004503077.tif 000014
【図１４】
0004503077.tif 000015
【図１５】
0004503077.tif 000016
【図１６】
0004503077.tif 000017
【図１７】
0004503077.tif 000018
【図１８】
0004503077.tif 000019
【図１９】
0004503077.tif 000020
【図２０】
0004503077.tif 000021
【図２１】
0004503077.tif 000022